(57)【要約】【課題】  １つの濾網部材を用いて異なる口当たりのジュースを作ることが可能なジューサーを提供すること。【解決手段】  本発明に係るジューサーは、駆動源を内蔵する本体部と、本体部に載置される容器と、容器内で駆動源により回転駆動されるカッターと、カッターを内設することが可能であって側面にフィルタが設けられた筒状を呈する濾網部材６と、容器の上部開口を閉塞する蓋体とを備えている。濾網部材６は、上部に設けられるフィルタ２１の目の粗さと下部に設けられるフィルタ２２の目の粗さとが異なっており、作成するジュースの口当たりに応じて濾網部材６を上下逆転させて容器内に設置させる。【選択図】  図２
2006095199.tif 000002
【特許請求の範囲】
【請求項１】
駆動源を内蔵する本体部と、該本体部に載置される容器と、該容器内で前記駆動源により回転駆動されるカッターと、該カッターを内設することが可能であって側面にフィルタが設けられた筒状を呈する濾網部材と、前記容器の上部開口を閉塞する蓋体とを備えたジューサーであって、
前記濾網部材は、上部に設けられるフィルタの目の粗さと下部に設けられるフィルタの目の粗さとが異なっており、作成するジュースの口当たりに応じて前記濾網部材を上下逆転させて前記容器内に設置させることを特徴とするジューサー。
【請求項２】
駆動源を内蔵する本体部と、該本体部に載置される容器と、該容器内で前記駆動源により回転駆動されるカッターと、該カッターを内設することが可能であって側面にフィルタが設けられた筒状を呈する濾網部材と、前記容器の上部開口を閉塞する蓋体とを備えたジューサーであって、
前記濾網部材には、上部から下部に進むにしたがって目の粗さが連続的に又は多段的に変化するフィルタが設けられており、作成するジュースの口当たりに応じて前記濾網部材を上下逆転させて前記容器内に設置させることを特徴とするジューサー。
【発明の詳細な説明】
【技術分野】
【０００１】
本発明は、駆動源を内蔵する本体部と、該本体部に載置される容器と、該容器内で前記駆動源により回転駆動されるカッターと、該カッターを内設することが可能であって側面にフィルタが設けられた筒状を呈する濾網部材と、前記本体部の上部開口を閉塞する蓋体とを備えたジューサーに関するものである。
【背景技術】
【０００２】
従来より、容器内に形成されたカッターの回転により、容器内に封入された被調理物を切削攪拌させてジュース等を作るジューサーが知られている（例えば、特許文献１参照）。
【０００３】
このようなジューサーを用いて、被調理物の繊維分・果肉等をあまり含まないジュースを作成する場合や、被調理物が細かく切削されたい部分だけを用いてジュースを作成する場合には、繊維分や細かく切削しきれなかった被調理物を分離するための濾網部材を容器内に設置する。
【０００４】
濾網部材は、円筒状に形成されており、側面に被調理物を濾すためのフィルタ部（メッシュ部）が形成されている。被調理物の細かい部分だけを用いたジュース等を作成する場合には、内部でカッターが回動可能となるようにして濾網部材を容器内に設置してから被調理物を濾網部材内に封入し、本体部に設けられるスイッチを操作してカッターを回転させて被調理物を切削攪拌させる。カッターの回転により被調理物が切削攪拌されると、細かくなった被調理物だけがフィルタ部を通過して排出され、大きめの被調理物片は濾網部材内に残されるため、フィルタ部で濾過された口当たりの滑らかなジュースを得ることができる。
【特許文献１】特開平１０−１９２１３１号公報
【発明の開示】
【発明が解決しようとする課題】
【０００５】
しかしながら、一般的なジューサーでは、フィルタ部の目の大きさが一種類であったため、調理されるジュースの細かさを変えることが容易ではないという問題があった。また、細かさを変えるためには、異なる目の粗さのフィルタ部が設けられた複数の濾網部材を用意する必要が生じるという問題があった。
【０００６】
本発明は、上記問題に鑑みてなされたものであり、１つの濾網部材を用いて異なる口当たりのジュースを作ることが可能なジューサーを提供することを課題とする。
【課題を解決するための手段】
【０００７】
上記課題を解決するために、本発明に係るジューサーは、駆動源を内蔵する本体部と、該本体部に載置される容器と、該容器内で前記駆動源により回転駆動されるカッターと、該カッターを内設することが可能であって側面にフィルタが設けられた筒状を呈する濾網部材と、前記容器の上部開口を閉塞する蓋体とを備えたジューサーであって、前記濾網部材は、上部に設けられるフィルタの目の粗さと下部に設けられるフィルタの目の粗さとが異なっており、作成するジュースの口当たりに応じて前記濾網部材を上下逆転させて前記容器内に設置させることを特徴とする。
【０００８】
また、前記濾網部材は、上部から下部に進むにしたがって目の粗さが連続的に又は多段的に変化するフィルタが設けられていてもよい。
【発明の効果】
【０００９】
上記ジューサーを用いて、濾網部材の設置方向を上下変えることによって、１つの濾網部材で口当たりの異なるジュースを作ることが可能となる。
【発明を実施するための最良の形態】
【００１０】
以下、本発明に係るジューサーを、図面を用いて詳述する。
【００１１】
図１に示すように、ジューサー１は、本体部２と、この本体部２の上部に着脱自在に装着される円筒状の容器受台３と、この容器受台３の上部に着脱可能に取り付けられる容器４と、容器４の開口４Ａを閉塞する蓋体５と、容器４内に収納される濾網部材６とを備えている。
【００１２】
本体部２には、モーター（駆動源）７が内蔵されている。モーター７は、駆動軸８が上方に延びるようにして設置されており、駆動軸８の上部は、容器受台３内に突出している。駆動軸８の上部には、駆動カップリング９が取り付けられている。
【００１３】
容器受台３の底部３Ａの中央部には、軸受部１０が形成されている。軸受部１０には、回転軸１１が回転自在に保持されており、さらに回転軸１１の下端部には、従動カップリング１２が取り付けられている。従動カップリング１２は、駆動カップリング９に着脱自在に係合されており、モーター７が駆動すると駆動軸８に取り付けられる駆動カップリング９の回転に伴って従動カップリング１２が回転し、回転軸１１が回転する構造となっている。
【００１４】
また、容器４内に突出される回転軸１１の上端部には、カッター１５Ａ，１５Ｂが設けられており、このカッター１５Ａ，１５Ｂは回転軸１１と一体に回転する構造となっている。このカッター１５Ａ、１５Ｂの回転によって、容器４内に封入された被調理物が切削攪拌される。
【００１５】
容器４の外側面には取っ手４Ｂが一体形成されている。容器４は、容器受台３の上部に形成されたネジ部３Ｂに対して着脱自在に螺合されている。容器４の開口４Ａには蓋体５が嵌入されている。蓋体５の底面部には、回転軸１１方向に延びる円柱状凸部５Ａが形成されている。
【００１６】
濾網部材６は、円柱状凸部５Ａが嵌入されることによって蓋体５に係合して容器４の内部に設置される。図２は、濾網部材６を示した斜視図である。濾網部材６は、円筒状を呈しており、骨格を形成する枠部２０と、枠部２０間を覆うようにして設置されるフィルタ２１、２２とを有している。フィルタは、上下中心部に形成される中央枠部（セパレータ）２０Ａを境にして、上側に設けられる第１フィルタ２１と下側に設けられる第２フィルタ２２との２種類のフィルタによって構成されている。第１フィルタ２１の目の粗さは、第２フィルタ２２に比べて目が粗くなっている。
【００１７】
濾網部材６の筒内径は、蓋体５の底面に形成された円柱状凸部５Ａの外径とほぼ同径となっており、濾網部材６の筒内部に蓋体５の円柱状凸部５Ａを嵌入させることによって、蓋体５に濾網部材６が固定される。また、濾網部材６の筒内部に円柱状凸部５Ａが嵌入されると、円形状凸部５Ａ先端が中央枠部２０Ａ近傍まで達し、濾網部材６の蓋体５側のフィルタが、円柱状凸部５Ａにより塞がれる。
【００１８】
濾網部材６が蓋部５の円柱状凸部５Ａに係合された状態で容器４内部に収納されると、濾網部材６は、濾網部材６の円筒中心に回転軸１１及びカッター１５Ａ，１５Ｂを包含するようにして容器４内に設置される。このとき、カッター１５Ａ，１５Ｂの先端部とフィルタ２１（又は２２）との間には一定の間隔が確保される。濾網部材６が設置された状態で回転軸１１が回転すると、カッター１５Ａ，１５Ｂは、フィルタ２１（又は２２）及び枠部２０に接触することなくは回転を行うことが可能となる。
【００１９】
次に、上述したジューサー１を用いて豆乳を調理する手順を説明する。
【００２０】
まず、滑らかで濃い口当たりの豆乳を作る手順について説明する。目の細かい第２フィルタ２２が下側に位置するようにして濾網部材６を円柱状凸部５Ａに係合させてから濾網部材６を容器４内に設置し、濾網部材６の中に水を含浸させた大豆を入れる。その後、本体部２に設けられる図示しないスイッチをＯＮにする。すると、モーター７の駆動に伴ってカッター１５Ａ，１５Ｂが回転して大豆が切削攪拌され、切削攪拌された大豆が、濾網部材６の下部に設けられる第２フィルタ２２で濾されて、容器４の濾網部材６の外側に排出される。このとき、第２フィルタ２２は、フィルタの目が細かいので、第２フィルタ２２を濾過してできあがる豆乳は滑らかで濃い口当たりとなる。
【００２１】
次に、薄味の豆乳を作る場合について説明する。目の粗い第１フィルタ２１が下側に位置するようにして濾網部材６を容器４に設置し、濾網部材６の中に水を含浸させた大豆を入れる。その後、本体部２に設けられる図示しないスイッチをＯＮにする。すると、モーター７の駆動に伴ってカッター１５Ａ，１５Ｂが回転して大豆が切削攪拌され、切削攪拌された大豆が、濾網部材６の下部に設けられる第１フィルタ２１で濾されて、容器４の濾網部材６の外側に排出される。このとき、第１フィルタ２１は、第２フィルタ２２に比べて目が粗いので、第２フィルタ２２を透過した大豆片よりも寸法の大きい大豆片が第１フィルタ２１を透過し、この寸法の大きな大豆片によって豆乳が作られる。このため、第１フィルタ２１で濾されてできた豆乳は、第２フィルタ２２で濾されてできた豆乳よりも飲み味が薄味となる。
【００２２】
このように、フィルタの目の粗さが上部と下部とで異なる濾網部材６の設置方向を上下反転させることによって、口当たりの異なる２種類のジュースを、１つの濾網部材で作ることが可能となる。
【００２３】
以上、本発明に係るジューサーを、図面を用いて説明したが、本発明に係るジューサーは上述したものに限定されるものではない。例えば、フィルタの目の粗さを、中央枠部２０Ａを境に上下２種類とするのではなく、図３に示すように、上部Ａから下部Ｂにかけて目の粗さが連続的に又は多段的に変化するフィルタ２３が設けられた濾網部材６Ａを用いてもよい。
【００２４】
また、上記実施例では、蓋部５の底面部に円柱状凸部５Ａを形成した構造としたが、濾網部材の上側のフィルタを塞ぐことができる構造であれば、必ずしも円柱状凸部５Ａが形成されている必要はない。例えば、図４に示すように、上側のフィルタを塞ぐことが可能なアタッチメント部材３０を濾網部材６に装着すことによって、例えば、第１フィルム２１を塞ぎ、下側の第２フィルム２２のみ露出させる構成とすることも可能である。
【図面の簡単な説明】
【００２５】
【図１】ジューサーを示した断面図である。
【図２】濾網部材を示した斜視図である。
【図３】他の濾網部材を示した断面図である。
【図４】アタッチメント部材を装着した濾網部材を示した斜視図である。
【符号の説明】
【００２６】
１  ジューサー
２  本体部
３  容器受台
４  容器
５  蓋部
５Ａ  円柱状凸部
６  濾網部材
７  モーター（駆動源）
１５Ａ，１５Ｂ  カッター
２０  枠部
２１  第１フィルタ
２２  第２フィルタ
【図１】
2006095199.tif 000003
【図２】
2006095199.tif 000004
【図３】
2006095199.tif 000005
【図４】
2006095199.tif 000006